(57)【特許請求の範囲】
【請求項１】
搬送経路に沿って搬送される媒体の面を読み取り可能な第１の画像読取ユニットと、
媒体を媒体読取面に載置して当該媒体の面を読み取り可能な第２の画像読取ユニットと、
前記第１の画像読取ユニット及び前記第２の画像読取ユニットがそれぞれ着脱可能に装着され、前記第１の画像読取ユニット及び前記第２の画像読取ユニットが装着された状態において前記第１の画像読取ユニットと前記第２の画像読取ユニットとを一体化させ、前記第１の画像読取ユニットおよび前記第２の画像読取ユニットの配線が接続される中継体を有する接続体と、を備える、ことを特徴とする画像読取装置。
【請求項２】
搬送経路に沿って搬送される媒体の面を読み取り可能な第１の画像読取ユニットと、
媒体を媒体読取面に載置して当該媒体の面を読み取り可能な第２の画像読取ユニットと、
前記第１の画像読取ユニット及び前記第２の画像読取ユニットがそれぞれ着脱可能に装着され、前記第１の画像読取ユニット及び前記第２の画像読取ユニットが装着された状態において前記第１の画像読取ユニットと前記第２の画像読取ユニットとを一体化させる接続体と、を備え、
前記接続体は前記第１の画像読取ユニットの底面の少なくとも一部を支持可能な第１の支持面と、前記第２の画像読取ユニットの底面の少なくとも一部を支持可能な第２の支持面とを有し、
前記第１の支持面は、前記第１の画像読取ユニットの底面の所定方向における１／２以上の長さ領域を支持可能であり、
前記第２の支持面は、前記第２の画像読取ユニットの底面の所定方向における１／２以上の長さ領域を支持可能である、ことを特徴とする画像読取装置。
【請求項３】
請求項２に記載の画像読取装置において、
前記接続体には、前記第１の画像読取ユニット及び前記第２の画像読取ユニットが取り付けられた状態における前記接続体の重心位置に対応する位置に手掛け部が設けられている、ことを特徴とする画像読取装置。
【請求項４】
搬送経路に沿って搬送される媒体の面を読み取り可能な第１の画像読取ユニットと、
媒体を媒体読取面に載置して当該媒体の面を読み取り可能な第２の画像読取ユニットと、
前記第１の画像読取ユニット及び前記第２の画像読取ユニットがそれぞれ着脱可能に装着され、前記第１の画像読取ユニット及び前記第２の画像読取ユニットが装着された状態において前記第１の画像読取ユニットと前記第２の画像読取ユニットとを一体化させる接続体と、を備え、
前記第２の画像読取ユニットは前記第１の画像読取ユニットから排出される媒体を前記第２の画像読取ユニットの上部に案内するスロープ部材を備え、
前記第１の画像読取ユニットの下部には被掛止部が設けられ、
前記接続体の上部には前記第１の画像読取ユニットの前記被掛止部と係合可能な掛止部が設けられ、
前記掛止部と前記被掛止部との係合は、前記第１の画像読取ユニットを前記接続体の上部に載せた後、当該第１の画像読取ユニットを前記スロープ部材の側にスライドさせることで行われる、ことを特徴とする画像読取装置。
【請求項５】
搬送経路に沿って搬送される媒体の面を読み取り可能な第１の画像読取ユニットと、
媒体を媒体読取面に載置して当該媒体の面を読み取り可能な第２の画像読取ユニットと、
前記第１の画像読取ユニット及び前記第２の画像読取ユニットがそれぞれ着脱可能に装着され、前記第１の画像読取ユニット及び前記第２の画像読取ユニットが装着された状態において前記第１の画像読取ユニットと前記第２の画像読取ユニットとを一体化させる接続体と、を備え、
前記接続体には、前記第２の画像読取ユニットが装着された際に当該第２の画像読取ユニットの一部を覆う庇状部が設けられている、ことを特徴とする画像読取装置。
【請求項６】
請求項５に記載の画像読取装置において、
前記接続体には、前記第１の画像読取ユニットにおける媒体の排出方向に突出し、前記排出方向と交差する方向に間隔をおいて対向する一対の支持部を備え、
前記一対の支持部には前記庇状部が設けられている、ことを特徴とする画像読取装置。
【請求項７】
搬送経路に沿って搬送される媒体の面を読み取り可能な第１の画像読取ユニットと、
媒体を媒体読取面に載置して当該媒体の面を読み取り可能な第２の画像読取ユニットと、
前記第１の画像読取ユニット及び前記第２の画像読取ユニットがそれぞれ着脱可能に装着され、前記第１の画像読取ユニット及び前記第２の画像読取ユニットが装着された状態において前記第１の画像読取ユニットと前記第２の画像読取ユニットとを一体化させる接続体と、を備え、
前記第２の画像読取ユニットが装着された状態の前記接続体を設置面に載置した状態では、前記第２の画像読取ユニットの底部と前記接続体との間に隙間が形成されており、
前記接続体を持ち上げることにより、前記隙間が解消して前記第２の画像読取ユニットが前記接続体により支持される構成を備える、ことを特徴とする画像読取装置。
【請求項８】
請求項１から請求項３、請求項５から請求項７のいずれか一項に記載の画像読取装置において、
前記第２の画像読取ユニットは前記第１の画像読取ユニットから排出される媒体を前記第２の画像読取ユニットの上部に案内するスロープ部材を備え、
前記第１の画像読取ユニットの下部には被掛止部が設けられ、
前記接続体の上部には前記第１の画像読取ユニットの前記被掛止部と係合可能な掛止部が設けられ、
前記掛止部と前記被掛止部との係合は、前記第１の画像読取ユニットを前記接続体の上部に載せた後、当該第１の画像読取ユニットを前記スロープ部材の側にスライドさせることで行われる、ことを特徴とする画像読取装置。
【請求項９】
請求項１から請求項４、請求項６、請求項７のいずれか一項に記載の画像読取装置において、
前記接続体には、前記第２の画像読取ユニットが装着された際に当該第２の画像読取ユニットの一部を覆う庇状部が設けられている、ことを特徴とする画像読取装置。
【請求項１０】
請求項１から請求項６、請求項８、請求項９のいずれか一項に記載の画像読取装置において、
前記第２の画像読取ユニットが装着された状態の前記接続体を設置面に載置した状態では、前記第２の画像読取ユニットの底部と前記接続体との間に隙間が形成されており、
前記接続体を持ち上げることにより、前記隙間が解消して前記第２の画像読取ユニットが前記接続体により支持される構成を備える、ことを特徴とする画像読取装置。
【請求項１１】
請求項１から１０のいずれか一項に記載の画像読取装置において、
前記第１の画像読取ユニットは前記接続体の上面に装着され、前記第２の画像読取ユニットは前記接続体の側方から前記接続体に装着される、ことを特徴とする画像読取装置。
【発明の詳細な説明】
【技術分野】
【０００１】
本発明は、スキャナーに代表される画像読取装置に関する。
【背景技術】
【０００２】
従来、媒体の面を読み取る画像読取装置、いわゆるスキャナーには、媒体を搬送経路に沿って搬送し、装置内に設けられた画像読取部で媒体の少なくとも一方の面を読み取るシートフィードスキャナーと呼ばれるものと、媒体を媒体載置面に密着するように載置して当該媒体載置面と対向する媒体の面を読み取るフラットベッドスキャナーと呼ばれるものがある。
【０００３】
前記シートフィードスキャナーは、一般的に複数のシート状の媒体をセット可能に構成されており、セットされた複数のシート状の媒体を１枚ずつ分離して連続的に搬送経路に沿って搬送することにより、大量のシート状の媒体を読み取ることができる。
【０００４】
一方で、前記フラットベッドスキャナーは、媒体載置面上に媒体を載置して画像を読み取ることから本や雑誌などのように比較的厚みのある媒体を読み取ることができる。
【０００５】
そして、これらのスキャナーを使用するユーザーの中には、大量のシート状の媒体を読み取ることと比較的厚みのある媒体を読み取ることの２つの用途の両方を所望するユーザーも存在する。これらのユーザーの要望に応じて、シートフィードスキャナーとフラットベッドスキャナーの双方を備えた画像読取装置がある（特許文献１参照）。
【先行技術文献】
【特許文献】
【０００６】
【特許文献１】特開２００８−３１２０４３号公報
【発明の概要】
【発明が解決しようとする課題】
【０００７】
この画像読取装置は、装置前面側にフラットベッド型画像読取機構（フラットベッドスキャナー）が配置され、装置背面側において前記フラットベッド型画像読取機構より上方に自動給紙型読取機構（シートフィードスキャナー）が配置されている。そして、フラットベッド型画像読取機構と自動給紙型読取機構とを分離不能に一体的に組み付けることで前記画像読取装置が構成されている。
【０００８】
しかしながら、この画像読取装置では前記フラットベッド型画像読取機構と前記自動給紙型読取機構とを分離不能に一体的に組み付けているので、装置のサイズが大型化し、装置の重量も増大する。そして、前記画像読取装置の重量の増大により、当該装置の運搬が困難となり運搬性が悪化する。
【０００９】
また、この画像読取装置において、前記フラットベッド型画像読取機構又は前記自動給紙型読取機構に故障が生じた場合、当該故障を生じた読取機構を前記画像読取装置から取り外して交換することができず、前記故障した読取機構の修理をすべく前記画像読取装置を修理に出すと、その間、故障の生じていない読取機構の使用も出来なくなり、ユーザーの利便性が低下する。
【００１０】
本発明は、上記問題点に鑑みてなされたもので、運搬性及び利便性を向上させることができる画像読取装置を提供することを目的とする。
【課題を解決するための手段】
【００１１】
上記課題を達成するため、本発明の第１の態様の画像読取装置は、搬送経路に沿って搬送される媒体の面を読み取り可能な第１の画像読取ユニットと、媒体を媒体読取面に載置して当該媒体の面を読み取り可能な第２の画像読取ユニットと、前記第１の画像読取ユニット及び前記第２の画像読取ユニットがそれぞれ着脱可能に装着され、前記第１の画像読取ユニット及び前記第２の画像読取ユニットが装着された状態において前記第１の画像読取ユニットと前記第２の画像読取ユニットとを一体化させる接続体とを備えることを特徴とする。
【００１２】
本態様によれば、前記接続体には前記第１の画像読取ユニット及び前記第２の画像読取ユニットがそれぞれ着脱可能に装着されるので、例えば、画像読取装置を運搬する際、前記接続体から前記第１の画像読取ユニット及び前記第２の画像読取ユニットの少なくとも一つを取り外して運搬することが可能である。つまり、前記画像読取装置を一体で運ぶのではなく、前記画像読取装置の一部を取り外し、複数回に分けて運搬できるので、１回あたりの運搬重量を小さくできる。その結果、前記画像読取装置の容易に運べるので、当該画像読取装置の運搬性を向上させることができる。
【００１３】
また、前記画像読取装置において、例えば前記第１の画像読取ユニット又は前記第２の画像読取ユニットが故障した際、故障した画像読取ユニットを前記接続体から取り外して修理に出す間も、故障していない画像読取ユニットの使用を継続できる。また、前記故障した画像読取ユニットを交換することにより、前記画像読取装置の状態を速やかに復旧できるので、故障による前記画像読取装置の使用できない期間を短くできる。したがって、前記画像読取装置における利便性を向上させることができる。
【００１４】
本発明の第２の態様の画像読取装置は、第１の態様において、前記第１の画像読取ユニットは前記接続体の上面に装着され、前記第２の画像読取ユニットは前記接続体の側方から前記接続体に装着されることを特徴とする。
【００１５】
本態様によれば、前記接続体に対して前記第１の画像読取ユニット及び前記第２の画像読取ユニットを装着する際、前記第１の画像読取ユニットは前記接続体へ上方から装着するのに対し、前記第２の画像読取ユニットは前記接続体へ側方から装着する。これにより、前記接続体への各画像読取ユニットの装着作業において、前記第１の画像読取ユニット及び前記第２の画像読取ユニットの装着経路が互いに干渉しないので、前記接続体への装着作業の作業性を向上させることができる。
【００１６】
本発明の第３の態様の画像読取装置は、第１または第２の態様において、前記接続体は前記第１の画像読取ユニットの底面の少なくとも一部を支持可能な第１の支持面と、前記第２の画像読取ユニットの底面の少なくとも一部を支持可能な第２の支持面とを有し、前記第１の支持面は、前記第１の画像読取ユニットの底面の所定方向における１／２以上の長さ領域を支持可能であり、前記第２の支持面は、前記第２の画像読取ユニットの底面の所定方向における１／２以上の長さ領域を支持可能であることを特徴とする。
【００１７】
本態様によれば、前記接続体において前記第１の支持面は、前記第１の画像読取ユニットの底面の所定方向における１／２以上の長さ領域を支持可能であり、前記第２の支持面は、前記第２の画像読取ユニットの底面の所定方向における１／２以上の長さ領域を支持可能である。つまり、前記画像読取装置に前記第１の画像読取ユニット及び前記第２の画像読取ユニットを装着した状態において前記画像読取装置を運ぶ際、前記第１の画像読取ユニット及び前記第２の画像読取ユニットの底面の半分以上が前記接続体に支持されるので前記接続体と前記第１の画像読取ユニットとの結合部、前記接続体と前記第２の画像読取ユニットとの結合部に過剰な負荷が生じることを抑制でき、前記画像読取装置の破損を抑制できる。
【００１８】
本発明の第４の態様の画像読取装置は、第３の態様において、前記接続体には前記第１の画像読取ユニット及び前記第２の画像読取ユニットが取り付けられた状態における前記接続体の重心位置に対応する位置に手掛け部が設けられていることを特徴とする。
【００１９】
本態様によれば、前記接続体には前記第１の画像読取ユニット及び前記第２の画像読取ユニットが取り付けられた状態における前記接続体の重心位置に対応する位置に手掛け部が設けられているので、前記接続体に前記第１の画像読取ユニット及び前記第２の画像読取ユニットが装着された状態で前記画像読取装置を運ぶ際、バランス良く、すなわち安定して当該画像読取装置を運ぶことができる。
【００２０】
本発明の第５の態様の画像読取装置は、第１から第４のいずれか一の態様において、前記第２の画像読取ユニットは前記第１の画像読取ユニットから排出される媒体を前記第２の画像読取ユニットの上部に案内するスロープ部材を備え、前記第１の画像読取ユニットの下部には被掛止部が設けられ、前記接続体の上部には前記第１の画像読取ユニットの前記被掛止部と係合可能な掛止部が設けられ、前記掛止部と前記被掛止部との係合は、前記第１の画像読取ユニットを前記接続体の上部に載せた後、当該第１の画像読取ユニットを前記スロープ部材の側にスライドさせることで行われることを特徴とする。
【００２１】
本態様によれば、前記掛止部と前記被掛止部との係合は、前記第１の画像読取ユニットを前記接続体の上部に載せた後、当該第１の画像読取ユニットを前記スロープ部材の側にスライドさせることで行われる。すなわち、前記第１の画像読取ユニットを前記接続体の上部において前記スロープ部材と離れた側に載せた後、スロープ部材側にスライドさせるので、前記第１の画像読取ユニットを前記接続体の上部に載せる際、前記第１の画像読取ユニットが前記スロープ部材と干渉することを抑制でき、前記スロープ部材の破損を抑制できる。
【００２２】
本発明の第６の態様の画像読取装置は、第１から第５のいずれか一の態様において、前記接続体には、前記第２の画像読取ユニットが装着された際に当該第２の画像読取ユニットの一部を覆う庇状部が設けられていることを特徴とする。
【００２３】
本態様によれば、前記接続体には、前記第２の画像読取ユニットが装着された際に当該第２の画像読取ユニットの一部を覆う庇状部が設けられているので、前記庇状部は前記第２の画像読取ユニットが前記接続体に装着された際、前記第２の画像読取ユニットの上方への変位を規制できる。
【００２４】
本発明の第７の態様の画像読取装置は、第６の態様において、前記接続体には、前記第１の画像読取ユニットにおける媒体の排出方向に突出し、前記排出方向と交差する方向に間隔をおいて対向する一対の支持部を備え、前記一対の支持部には前記庇状部が設けられていることを特徴とする。
【００２５】
本発明の第８の態様の画像読取装置は、第１から第７のいずれか一の態様において、前記第２の画像読取ユニットが装着された状態の前記接続体を設置面に載置した状態では、前記第２の画像読取ユニットの底部と前記接続体との間に隙間が形成されており、前記接続体を持ち上げることにより、前記隙間が解消して前記第２の画像読取ユニットが前記接続体により支持される構成を備えることを特徴とする。
【図面の簡単な説明】
【００２６】
【図１】本発明に係る画像読取装置の外観斜視図。
【図２】本発明に係る画像読取装置の外観斜視図。
【図３】本発明に係る画像読取装置において第１の画像読取ユニットの媒体搬送経路を示す側断面図。
【図４】本発明に係る画像読取装置の側面図。
【図５】本発明に係る画像読取装置において第２の画像読取ユニットのカバーを開いた状態を示す斜視図。
【図６】本発明に係る画像読取装置の接続体の斜視図。
【図７】接続体に第２の画像読取ユニットを接続した状態を示す斜視図。
【図８】本発明に係る画像読取装置の下面を示す平面図。
【図９】接続体の一対の支持部と第２の画像読取ユニットとの関係を示す断面図。
【図１０】図９における一の支持部及び第２の画像読取ユニットの拡大断面図。
【図１１】本発明に係る画像読取装置の組立における第１の状態を示す説明図。
【図１２】本発明に係る画像読取装置の組立における第２の状態を示す説明図。
【図１３】本発明に係る画像読取装置の組立における第３の状態を示す説明図。
【図１４】本発明に係る画像読取装置の組立における第４の状態を示す説明図。
【図１５】接続体と第２の画像読取ユニットとの結合部を示す側断面図。
【図１６】本発明に係る画像読取装置の組立における第５の状態を示す説明図。
【図１７】本発明に係る画像読取装置の組立における第６の状態を示す説明図。
【図１８】接続体と第１の画像読取ユニットとの結合部を示す側断面図。
【図１９】本発明に係る画像読取装置の組立における第７の状態を示す説明図。
【図２０】本発明に係る画像読取装置の組立における第８の状態を示す説明図。
【発明を実施するための形態】
【００２７】
図１は本発明に係る画像読取装置の外観斜視図であり、図２は本発明に係る画像読取装置の外観斜視図であり、図３は本発明に係る画像読取装置において第１の画像読取ユニットの媒体搬送経路を示す側断面図であり、図４は本発明に係る画像読取装置の側面図であり、図５は本発明に係る画像読取装置において第２の画像読取ユニットのカバーを開いた状態を示す斜視図であり、図６は本発明に係る画像読取装置の接続体の斜視図である。
【００２８】
また、図７は接続体に第２の画像読取ユニットを接続した状態を示す斜視図であり、図８は本発明に係る画像読取装置の下面を示す平面図であり、図９は接続体の一対の支持部と第２の画像読取ユニットとの関係を示す断面図であり、図１０は図９における一の支持部及び第２の画像読取ユニットの拡大断面図であり、図１１は本発明に係る画像読取装置の組立における第１の状態を示す説明図であり、図１２は本発明に係る画像読取装置の組立における第２の状態を示す説明図であり、図１３は本発明に係る画像読取装置の組立における第３の状態を示す説明図である。
【００２９】
また、図１４は本発明に係る画像読取装置の組立における第４の状態を示す説明図であり、図１５は接続体と第２の画像読取ユニットとの結合部を示す側断面図であり、図１６は本発明に係る画像読取装置の組立における第５の状態を示す説明図であり、図１７は本発明に係る画像読取装置の組立における第６の状態を示す説明図であり、図１８は接続体と第１の画像読取ユニットとの結合部を示す側断面図であり、図１９は本発明に係る画像読取装置の組立における第７の状態を示す説明図であり、図２０は本発明に係る画像読取装置の組立における第８の状態を示す説明図である。
【００３０】
また、各図において示すＸ−Ｙ−Ｚ座標系はＸ方向が装置幅方向であるとともに用紙幅方向、Ｙ方向が画像読取装置の奥行き方向、Ｚ方向が装置高さ方向を示している。尚、各図において−Ｙ方向を装置前面側とし、＋Ｙ方向側を装置背面側とする。また、各図において−ＸＹ方向が第１画像読取ユニットにおける媒体の搬送方向である。
【００３１】
■■■実施例■■■■
＜＜＜画像読取装置の概要＞＞＞
図１ないし図５を参照するに本実施例における画像読取装置１０が示されている。画像読取装置１０は、第１の画像読取ユニット１２と、第２の画像読取ユニット１４と、接続体１６とを備えている。本実施例において、接続体１６の上部には第１の画像読取ユニット１２が着脱可能に接続されており、接続体１６の前部には第２の画像読取ユニット１４が着脱可能に接続されている。尚、接続体１６への第１の画像読取ユニット１２及び第２の画像読取ユニット１４の着脱については後述する。
【００３２】
本実施例において第１の画像読取ユニット１２はシートフィードスキャナーとして構成され、第２の画像読取ユニット１４はフラットベッドスキャナーとして構成されている。まず、第１の画像読取ユニット１２の概要について説明する。
【００３３】
＜＜＜第１の画像読取ユニットについて＞＞＞
第１の画像読取ユニット１２の背面側の上部には媒体支持部１８が設けられている。媒体支持部１８は、第１の画像読取ユニット１２に対して回動可能に取り付けられている。媒体支持部１８は、図１に示すように第１の画像読取ユニット１２の上部及び給送口２０（図２参照）を覆う非給送状態と、図２に示すように非給送状態から第１の画像読取ユニット１２の背面側に回動させて給送口２０を開放し、媒体支持面１８ａに媒体Ｐを支持させる給送状態とを取り得る。
【００３４】
ここで図３を参照して媒体Ｐの搬送経路について説明すると、媒体支持面１８ａから搬送方向に沿って、給送ローラー対２２、搬送ローラー対２４、画像読取部２６、排出ローラー対２８及び排出口３０が順番に設けられている。図３における符号Ｐが付された二点鎖線は媒体Ｐの搬送経路を示しており、媒体支持面１８ａに支持された媒体Ｐは給送ローラー対２２にニップされて、搬送ローラー対２４に向けて給送される。そして、搬送ローラー対２４は、媒体Ｐをニップして画像読取部２６へ搬送する。
【００３５】
本実施例において画像読取部２６は、画像読取センサー２６Ａ、２６Ｂを備えている。本実施例において画像読取センサー２６Ａは媒体Ｐの一方の面（装置高さ方向下方側の面）と対向して前記一方の面を読み取り可能に配置され、画像読取センサー２６Ｂは媒体Ｐの他方の面（装置高さ方向上方側の面）と対向して前記他方の面を読み取り可能に配置されている。そして、画像読取部２６は、画像読取センサー２６Ａ、２６Ｂにより媒体Ｐの両面の読み取りが可能に構成されている。画像読取部２６において画像を読み取られた媒体Ｐは、排出ローラー対２８にニップされて、第１の画像読取ユニット１２の前面に設けられた排出口３０から第１の画像読取ユニット１２の前方に位置する、第２の画像読取ユニット１４のカバー部３２の媒体載置部３２ａに向けて排出される。
【００３６】
＜＜＜第２の画像読取ユニットについて＞＞＞
次いで、第２の画像読取ユニット１４の概要について説明する。第２の画像読取ユニット１４は、フラットベッドスキャナーとして構成されている。第２の画像読取ユニット１４は、筐体３４と、当該筐体３４に対して回動可能に取り付けられたカバー部３２を備えている。筐体３４の上部には矩形の媒体読取面３４ａ（図３及び図５参照）が設けられている。本実施例において媒体読取面３４ａは平坦かつ透明なガラス板により構成されており、その上面に画像を読み取る媒体Ｐを載置可能である。
【００３７】
また、筐体３４内には、図示しないが画像読取手段が設けられている。本実施例において、この画像読取手段は媒体読取面３４ａの下側で媒体読取面３４ａの長手方向あるいは短手方向に移動することにより、媒体読取面３４ａに載置された媒体Ｐの媒体読取面３４ａと対向する面を読み取ることができるように構成されている。
【００３８】
また、筐体３４において装置前面側（図１及び図２における−Ｙ軸方向側）には操作部３６が設けられている。操作部３６には、第２の画像読取ユニット１４を操作するための電源スイッチや設定切換ボタン等を備えて構成されている。
【００３９】
図２及び図５を参照するに、本実施例においてカバー部３２は、媒体読取面３４ａを覆って閉じた姿勢（図２参照）と、媒体読取面３４ａを露出させる開いた姿勢（図５参照）とを切換可能に筐体３４に取り付けられている。具体的には、カバー部３２は、筐体３４に対して回動可能に構成されている。また、本実施例においてカバー部３２は、第１部材３８と第２部材４０とを備えている。
【００４０】
本実施例において第１部材３８の装置奥行き方向背面側の端部には回動軸３９（図３及び図１２参照）が設けられている。第１部材３８は回動軸３９を支点として筐体３４に対して回動可能に筐体３４の装置奥行き方向背面側の端部に取り付けられている。また、第２部材４０は、第１部材３８の装置奥行き方向前面側の端部に第１部材３８に対して回動可能に連結されている。尚、本実施例において、回動軸３９は筐体３４に対して装置高さ方向に変位可能に構成されている。したがって、カバー部３２は、媒体読取面３４ａを覆った閉じた姿勢を維持したまま、媒体読取面３４ａから装置高さ方向上方に離間可能である。すなわち、媒体読取面３４ａに比較的厚みのある媒体Ｐを載置した状態においてもカバー部３２が媒体Ｐを押さえられるように構成されている。
【００４１】
第１部材３８及び第２部材４０の下面、すなわち媒体読取面３４ａと対向する面には、媒体押さえ部材４１がそれぞれ設けられている。媒体押さえ部材４１は例えばスポンジのような弾性体により構成されている。
【００４２】
媒体押さえ部材４１は、カバー部３２が筐体３４に対して閉じた姿勢（図３参照）となった際、筐体３４に設けられた媒体読取面３４ａに載置された媒体Ｐを当該媒体Ｐの被読取面と反対側から一様に押圧する。これにより、媒体押さえ部材４１により押圧された媒体の被読取面が媒体読取面３４ａに密着する。つまり、媒体押さえ部材４１は、媒体読取面３４ａから媒体Ｐが浮き上がることを防止できる。尚、媒体押さえ部材４１の大きさは、媒体読取面３４ａに載置される媒体Ｐにおいて媒体読取面３４ａと反対側の面の全領域を押さえられるように媒体読取面３４ａの大きさと略同じ大きさに設定されている。
【００４３】
また、第２部材４０の上面は、第１の画像読取ユニット１２から排出される媒体Ｐを載置する媒体載置部３２ａとして構成されている。
【００４４】
また、第１部材３８の上面には、第１部材３８に対して回動可能にスロープ部材４２が取り付けられている。本実施例においてスロープ部材４２は、第１の画像読取ユニット１２の排出口３０から排出される媒体Ｐを第２の画像読取ユニット１４の媒体載置部３２ａへ案内するガイド部材として機能する。スロープ部材４２は、装置幅方向に延設され、その両端には係合部４４、４４が設けられている。係合部４４、４４は、装置幅方向において第１の画像読取ユニット１２の排出口３０から排出される媒体Ｐの通過する領域から外れた位置に設けられている。また、係合部４４の先端には回転自在なローラー部材４６が設けられている。
【００４５】
尚、ローラー部材４６は、接続体１６に第１の画像読取ユニット１２及び第２の画像読取ユニット１４が装着された状態において、第１の画像読取ユニット１２の前面１２ａと接触している。
【００４６】
また、本実施例においてスロープ部材４２の装置奥行き方向前面側には、回動軸４２ａ（図３参照）が設けられている。スロープ部材４２は、回動軸４２ａを支点に第１部材３８に対して回動可能に取り付けられている。本実施例において、スロープ部材４２は、当該スロープ部材４２を図２及び図５における反時計回り方向に回動させることにより、第１の画像読取ユニット１２の排出口３０から排出される媒体Ｐを第２の画像読取ユニット１４の媒体載置部３２ａへ案内するガイド姿勢（図２参照）から第１の画像読取ユニット１２から排出される媒体Ｐの搬送経路から退避した姿勢（図５参照）へ切換可能である。
【００４７】
尚、スロープ部材４２は、不図示の付勢手段により第１の画像読取ユニット１２側、すなわちガイド姿勢をとるように付勢されている。また、スロープ部材４２のガイド姿勢から退避姿勢への姿勢切換の際、ローラー部材４６は第１の画像読取ユニット１２の前面１２ａと接触した状態を維持しつつ、前面１２ａの下方側から上方側へと変位する。
【００４８】
＜＜＜接続体について＞＞＞
図６を参照して接続体１６について説明する。図６に示すように接続体１６は、第１の画像読取ユニット１２を取り付けるための第１取付部１６ａと、第２の画像読取ユニット１４を取り付けるための第２取付部１６ｂとを備えている。本実施例において、接続体１６は装置奥行き方向において背面側が前面側に対して装置高さ方向上方に隆起している。この隆起した部分、すなわち接続体１６の上部に第１取付部１６ａが設けられている。そして、第１取付部１６ａは、第１の画像読取ユニット１２を接続体１６の上部に載せた際、第１の画像読取ユニット１２を支持可能な第１の支持面として機能する。
【００４９】
ここで、図４を参照するに、本実施例において接続体１６の上部には第１の画像読取ユニット１２が載せられており、第１取付部１６ａは第１の画像読取ユニット１２を支持している。そして、第１取付部１６ａは第１の画像読取ユニット１２の底面の所定方向、すなわち装置奥行き方向における１／２以上の長さ領域を支持している。
【００５０】
また、図６において接続体１６の前面側には、当該前面側に延び、かつ装置幅方向に間隔をおいて対向する一対のアーム状の支持部４８、４８が形成されている。そして、支持部４８、４８には第２取付部１６ｂが設けられている。第２取付部１６ｂは、接続体１６の側方、本実施例では装置前方側から装着された際、第２の画像読取ユニット１４を支持可能な第２の支持面として機能する。また、支持部４８には、第２取付部１６ｂの上方に位置し、第２取付部１６ｂと対向する少なくとも１つの庇状部５０が形成されている。尚、本実施例において、装置高さ方向における第２取付部１６ｂと庇状部５０との距離は、第２の画像読取ユニット１４の筐体３４の装置高さ方向における寸法よりも大きく設定されている。
【００５１】
図５及び図７を参照するに、本実施例において第２の画像読取ユニット１４は一対のアーム状の支持部４８、４８の間に配置されている。より具体的には、第２の画像読取ユニット１４は、接続体１６の前方側から装置高さ方向において第２取付部１６ｂと庇状部５０との間に挿入されて、接続体１６に装着されている。そして、第２の支持面としての第２取付部１６ｂは、第２の画像読取ユニット１４の底面の所定方向、すなわち装置奥行き方向における１／２以上の長さ領域を支持可能である。
【００５２】
また、本実施例では第１取付部１６ａは第１の画像読取ユニット１２の底面において装置奥行き方向における１／２以上の長さ領域を支持しているので、第１の画像読取ユニット１２の重量の多くを受けることができる。
【００５３】
また、同様に本実施例では第２取付部１６ｂは第２の画像読取ユニット１４の底面において装置奥行き方向における１／２以上の長さ領域を支持可能であるので、第２の画像読取ユニット１４の重量の多くを受けることができる。
【００５４】
また、図４に示すように、第１の画像読取ユニット１２及び第２の画像読取ユニット１４が接続体１６に装着された状態における接続体１６の装置奥行き方向における重心位置Ｇ３は、装置奥行き方向において第１の画像読取ユニット１２の重心位置Ｇ１と第２の画像読取ユニット１４の重心位置Ｇ２との間に位置している。
【００５５】
ここで、図４及び図６に示すように、接続体１６において装置奥行き方向において重心位置Ｇ３に対応する位置に手掛け部５２が設けられている。したがって、画像読取装置１０を持ち上げる際、バランス良く持ち上げることができ、画像読取装置１０を安定して運ぶことができる。
【００５６】
また、接続体１６は中継部５４を備えている。本実施例において中継部５４は、接続体１６の背面側下方に配置されている。中継部５４は、不図示の回路基板を有しており、この回路基板には接続体１６の背面に設けられた複数の開口（図１９及び図２０参照）を介して信号線ケーブルの端子や電力供給ケーブルの端子が着脱可能である。また、接続体１６の内部において前記回路基板から信号線ケーブル５６が延びている。図７に示すように信号線ケーブル５６の一端は中継部５４の前記回路基板（不図示）に接続され、他端は、接続体１６に装着された状態の第２の画像読取ユニット１４に接続されている。本実施例において信号線ケーブル５６は、中継部５４と第２の画像読取ユニット１４との間のデーター送受信だけでなく、中継部５４から第２の画像読取ユニット１４への電力供給も併せて行っている。尚、本実施例では、一例として信号線ケーブル５６はＵＳＢケーブルとして構成されている。
【００５７】
ここで、図８ないし図１０を参照して、第２の画像読取ユニット１４と接続体１６との装着状態について説明する。図８に示すように、第２の画像読取ユニット１４の筐体３４の底面３４ｂには、第２の画像読取ユニット１４を机等の設置面５８に設置した際、第２の画像読取ユニット１４を支えるフット部６０が複数設けられている。本実施例では、一例としてフット部６０は底面３４ｂに４箇所設けられている。尚、本実施例においてフット部６０は、一例としてゴム足として構成されている。
【００５８】
また、接続体１６の底面１６ｃには、接続体１６を机等の設置面５８に設置した際、接続体１６を支えるフット部６２が複数設けられている。本実施例では、一例としてフット部６２は底面１６ｃに４箇所設けられている。尚、本実施例においてフット部６２もフット部６０と同様にゴム足として構成されている。
【００５９】
図９及び図１０に示すように、第１の画像読取ユニット１２及び第２の画像読取ユニット１４が装着された接続体１６を設置面５８に設置すると、第１の画像読取ユニット１２及び接続体１６は、フット部６２により支持される。一方、第２の画像読取ユニット１４はフット部６０により支持されて、自立している。この状態において、接続体１６の庇状部５０は、接続体１６に対する第２の画像読取ユニット１４の装置高さ方向上方への変位を規制している。
【００６０】
また、この状態において、接続体１６の第２取付部１６ｂと第２の画像読取ユニット１４の底部とは離間した状態となっている（図１０参照）。すなわち、第２取付部１６ｂと第２の画像読取ユニット１４の底部との間には隙間６４が形成されている。尚、図１０は図９における一点鎖線で囲まれた領域を拡大して図示している。
【００６１】
また、接続体１６に第１の画像読取ユニット１２及び第２の画像読取ユニット１４が装着された状態において、画像読取装置１０を設置面５８から持ち上げると、第２の画像読取ユニット１４は、第２の画像読取ユニット１４の自重により下方に変位し、第２取付部１６ｂと第２の画像読取ユニット１４の底部とが接触する。すなわち、隙間６４が解消され、第２の画像読取ユニット１４は第２取付部１６ｂに支持された状態となる。
【００６２】
＜＜＜画像読取装置の組立について＞＞＞
次いで、図１１ないし図２０を参照して、画像読取装置１０の組立について説明する。図１１を参照するに、第２の画像読取ユニット１４における装置背面側の端部が示されており、当該装置背面側の端部には被結合部材６６、６６が着脱可能に取り付けられる。被結合部材６６には、第１部材３８の回動軸３９を受け入れる軸受入部６６ａと、後述する結合部材６８と係合する係合部６６ｂとが設けられている。
【００６３】
次いで、図１２に示すように第２の画像読取ユニット１４の筐体３４にカバー部３２を取り付ける。具体的にはカバー部３２の第１部材３８の回動軸３９を被結合部材６６の軸受入部６６ａに嵌め込む。これにより、カバー部３２は回動軸３９を支点として筐体３４に対して回動可能となる。
【００６４】
次に、図１３に示すように第２の画像読取ユニット１４を接続体１６の装置前面側から一対の支持部４８、４８の間に挿入する。この際、装置高さ方向において筐体３４が支持部４８の第２取付部１６ｂと庇状部５０との間に位置するように第２の画像読取ユニット１４を支持部４８、４８間に挿入する。そして、第２の画像読取ユニット１４を接続体１６に設けられた位置規制部７０に突き当てる。本実施例において位置規制部７０は接続体１６において装置奥行き方向における第２の画像読取ユニット１４の位置を規定する。また、位置規制部７０には開口７２が設けられている。本実施例において開口７２は、接続体１６に第２の画像読取ユニット１４を取り付けた際、筐体３４の背面側端部に設けられた後述する信号線端子部７８（図１４参照）に対応する位置に設けられている。
【００６５】
次に、図１４及び図１５に示すように第２の画像読取ユニット１４を位置規制部７０に突き当てた状態で、結合部材６８を用いて、第２の画像読取ユニット１４と接続体１６との結合を行う。接続体１６には、第２の画像読取ユニット１４の被結合部材６６に対応する位置に結合部材取付部７４、７４が設けられている。また、結合部材６８は図１５に示すように装置奥行き方向に延びるともに第２の画像読取ユニット１４側の端部が下方に向けて突出した突出部６８ａを有している。
【００６６】
突出部６８ａは被結合部材６６の係合部６６ｂに装置高さ方向において相対移動可能に受け入れられている。また、突出部６８ａは係合部６６ｂに受け入れられた状態で装置奥行き方向背面側で当該係合部６６ｂと係合している。つまり、突出部６８ａと係合部６６ｂとの係合により、第２の画像読取ユニット１４は装置奥行き方向において接続体１６に拘束されている。
【００６７】
そして、結合部材取付部７４に結合部材６８をねじ等の締結部材７６により取り付けることにより、第２の画像読取ユニット１４と接続体１６との結合が行われる。すなわち、第２の画像読取ユニット１４と接続体１６とが一体化される。また、本実施例では被結合部材６６と係合部６６ｂとが装置高さ方向において相対移動可能であることから、筐体３４は第２取付部１６ｂと庇状部５０との間で装置高さ方向への変位が可能である。
【００６８】
次に図１６に示すように、第２の画像読取ユニット１４の装置奥行き方向側の端部に設けられた信号線端子部７８（図１１参照）に中継部５４から延びる信号線ケーブル５６の他端を挿入して中継部５４と第２の画像読取ユニット１４とを電気的に接続する。これにより、接続体１６に対する第２の画像読取ユニット１４の装着作業が完了する。尚、本実施例において信号線ケーブル５６は、データーの送受信に加えて中継部５４から第２の画像読取ユニット１４への電力供給も併せて行われる。
【００６９】
続いて、図１７ないし図２０を参照して接続体１６に対する第１の画像読取ユニット１２の装着について説明する。接続体１６の第１取付部１６ａには、フック状の掛止部８０（図６及び図１８参照）が設けられている。また、第１の画像読取ユニット１２の底部には、掛止部８０と係合可能な被掛止部８２（図１８参照）が設けられている。
【００７０】
図１７に示すように第１の画像読取ユニット１２を接続体１６の上部、具体的には第１取付部１６ａに載せる。この際、第１の画像読取ユニット１２は装置奥行き方向においてスロープ部材４２から離れた側、すなわち装置背面側寄りに第１取付部１６ａに載せる。これにより、第１取付部１６ａの掛止部８０は、第１の画像読取ユニット１２の底部の被掛止部８２に受け入れられた状態となる（図１８における二点鎖線部参照）。そして、第１の画像読取ユニット１２を第１取付部１６ａに載せた後、第１の画像読取ユニット１２を装置奥行き方向前方側、つまりスロープ部材４２の側にスライドさせる。これにより、第１取付部１６ａの掛止部８０は被掛止部８２と係合する（図１８実線部参照）。
【００７１】
次に図１９に示すように第１の画像読取ユニット１２と接続体１６とを結合部材８４により結合する。具体的には第１の画像読取ユニット１２の背面と接続体１６の背面とに跨る結合部材８４をねじ等の締結部材８６により接続体１６に取り付ける。これにより第１の画像読取ユニット１２と接続体１６とが一体化される。
【００７２】
そして、図２０に示すように接続体１６の背面側において、中継部５４から延びる電力線ケーブル８８と、信号線ケーブル９０とを第１の画像読取ユニット１２の背面に設けられた電力供給端子及び信号線端子にそれぞれ接続する。これにより、接続体１６に対する第１の画像読取ユニット１２の装着作業が完了する。そして、この状態では、接続体１６を介して第１の画像読取ユニット１２と第２の画像読取ユニット１４とが一体化される。
【００７３】
また、図２０に示すように接続体１６の背面には中継部５４を介して第１の画像読取ユニット１２及び第２の画像読取ユニット１４へ電力を供給するための電力供給端子９２と、中継部５４を介して第１の画像読取ユニット１２及び第２の画像読取ユニット１４へ画像読取データー等のデーターや各画像読取ユニット１２、１４の操作のための制御信号の送受信を行うための信号線端子９４が設けられている。
【００７４】
また、電力供給端子９２は図示しない電力供給ケーブルにより外部電源等に接続されている。また、信号線端子９４も図示しない信号線ケーブルによりＰＣ等の外部入力機器に接続されている。
【００７５】
＜＜＜実施例の変更例＞＞＞
（１）本実施例では、第２の画像読取ユニット１４と接続体１６と間で信号線ケーブル５６により電力供給及び信号の送受信を行う構成としたが、電力供給と信号の送受信とを異なるケーブルに分けて行う構成としてもよい。
（２）本実施例では、第１の画像読取ユニット１２と接続体１６と間で電力線ケーブル８８及び信号線ケーブル９０により電力供給及び信号の送受信をそれぞれ行う構成としたが、第２の画像読取ユニット１４と接続体１６と間のように１本のケーブルで電力供給と信号の送受信とを行う構成としてもよい。
【００７６】
上記説明をまとめると、画像読取装置１０は搬送経路に沿って搬送される媒体の面を読み取り可能な第１の画像読取ユニット１２と、媒体を媒体読取面３４ａに載置して当該媒体の面を読み取り可能な第２の画像読取ユニット１４と、第１の画像読取ユニット１２及び第２の画像読取ユニット１４がそれぞれ着脱可能に装着され、第１の画像読取ユニット１２及び第２の画像読取ユニット１４が装着された状態において第１の画像読取ユニット１２と第２の画像読取ユニット１４とを一体化させる接続体１６とを備えている。
【００７７】
上記構成によれば、接続体１６には第１の画像読取ユニット１２及び第２の画像読取ユニット１４がそれぞれ着脱可能に装着されるので、例えば、画像読取装置１０を運搬する際、接続体１６から第１の画像読取ユニット１２及び第２の画像読取ユニット１４の少なくとも一つを取り外して運搬することが可能である。つまり、画像読取装置１０を一体で運ぶのではなく、画像読取装置１０の一部を取り外し、複数に分けて運搬でき、１回あたりの運搬重量を小さくできる。その結果、画像読取装置１０の容易に運べるので、画像読取装置１０の運搬性を向上させることができる。
【００７８】
また、画像読取装置１０において、例えば第１の画像読取ユニット１２又は第２の画像読取ユニット１４が故障した際、故障した第１の画像読取ユニット１２又は第２の画像読取ユニット１４を接続体１６から取り外して修理に出す間も、故障していない第１の画像読取ユニット１２または第２の画像読取ユニット１４の使用を継続できる。また、故障した第１の画像読取ユニット１２又は第２の画像読取ユニット１４を交換することにより、第１の画像読取ユニット１２又は第２の画像読取ユニット１４の状態を速やかに復旧できるので、故障による画像読取装置１０の使用できない期間を短くできる。したがって、画像読取装置１０における利便性を向上させることができる。
【００７９】
また、本実施例において第１の画像読取ユニット１２は接続体１６の上面に装着され、第２の画像読取ユニット１４は接続体１６の側方から接続体１６に装着される。  
上記構成によれば、接続体１６に対して第１の画像読取ユニット１２及び第２の画像読取ユニット１４を装着する際、第１の画像読取ユニット１２は接続体１６へ上方から装着するのに対し、第２の画像読取ユニット１４は接続体１６へ側方から装着する。これにより、接続体１６への各画像読取ユニット１２、１４の装着作業において、第１の画像読取ユニット１２及び第２の画像読取ユニット１４の装着経路が互いに干渉しないので、接続体１６への装着作業の作業性を向上させることができる。
【００８０】
また、本実施例によれば、接続体１６は第１の画像読取ユニット１２の底面の少なくとも一部を支持可能な第１取付部１６ａと、第２の画像読取ユニット１４の底面の少なくとも一部を支持可能な第２取付部１６ｂとを有している。そして、第１取付部１６ａは第１の画像読取ユニット１２の底面の所定方向における１／２以上の長さ領域を支持可能であり、第２取付部１６ｂは第２の画像読取ユニット１４の底面の所定方向における１／２以上の長さ領域を支持可能である。
【００８１】
上記構成によれば、接続体１６において第１取付部１６ａは、第１の画像読取ユニット１２の底面において装置奥行き方向における１／２以上の長さ領域を支持可能であり、第２取付部１６ｂは、第２の画像読取ユニット１４の底面において装置奥行き方向における１／２以上の長さ領域を支持可能である。つまり、画像読取装置１０に第１の画像読取ユニット１２及び第２の画像読取ユニット１４を装着した状態において画像読取装置１０を運ぶ際、第１の画像読取ユニット１２及び第２の画像読取ユニット１４の底面の半分以上が接続体１６に支持されるので接続体１６と第１の画像読取ユニット１２との結合部、接続体１６と第２の画像読取ユニット１４との結合部に過剰な負荷が生じることを抑制でき、画像読取装置１０の破損を抑制できる。
【００８２】
また、本実施例によれば、接続体１６には第１の画像読取ユニット１２及び第２の画像読取ユニット１４が取り付けられた状態における接続体１６の重心位置Ｇ１に対応する位置に手掛け部５２が設けられている。  
上記構成によれば、接続体１６に第１の画像読取ユニット１２及び第２の画像読取ユニット１４が装着された状態で画像読取装置１０を運ぶ際、安定して画像読取装置１０を運ぶことができる。
【００８３】
本実施例によれば、第２の画像読取ユニット１４は第１の画像読取ユニット１２から排出される媒体を第２の画像読取ユニット１４の上部、すなわちカバー部３２の媒体載置部３２ａに案内するスロープ部材４２を備えている。そして、第１の画像読取ユニット１２の下部には被掛止部８２が設けられ、接続体１６の上部には第１の画像読取ユニット１２の被掛止部８２と係合可能な掛止部８０が設けられている。掛止部８０と被掛止部８２との係合は、第１の画像読取ユニット１２を接続体１６の上部、つまり第１取付部１６ａに載せた後、第１の画像読取ユニット１２をスロープ部材４２の側にスライドさせることで行われる。
【００８４】
上記構成によれば、第１の画像読取ユニット１２を接続体１６の上部、つまり第１取付部１６ａにおいてスロープ部材４２と離れた側に載せた後、スロープ部材４２側にスライドさせるので、第１の画像読取ユニット１２を接続体１６の第１取付部１６ａに載せる際、第１の画像読取ユニット１２がスロープ部材４２と干渉することを抑制でき、スロープ部材４２の破損を抑制できる。
【００８５】
また、本実施例において接続体１６には、第２の画像読取ユニット１４が装着された際に第２の画像読取ユニット１４の一部を覆う庇状部５０が設けられている。  
上記構成によれば、庇状部５０は第２の画像読取ユニット１４が接続体１６に装着された際、第２の画像読取ユニット１４の上方への変位を規制できる。
【００８６】
また、本実施例において接続体１６には、第１の画像読取ユニット１２における媒体の排出方向に突出し、排出方向と交差する方向に間隔をおいて対向する一対の支持部４８を備え、一対の支持部４８には庇状部５０が設けられている。
【００８７】
また、本実施例において、画像読取装置１０は第２の画像読取ユニット１４が装着された状態の接続体１６を設置面５８に載置した状態では、第２の画像読取ユニット１４の底部と接続体１６との間に隙間６４が形成されており、接続体１６を設置面５８から持ち上げることにより、隙間６４が解消して第２の画像読取ユニット１４が接続体１６により支持される構成を備える。
【００８８】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００８９】
１０  画像読取装置、１２  第１の画像読取ユニット、１２ａ  前面、
１４  第２の画像読取ユニット、１６  接続体、１６ａ  第１取付部、
１６ｂ  第２取付部、１６ｃ、３４ｂ  底面、１８  媒体支持部、１８ａ  媒体支持面、
２０  給送口、２２  給送ローラー対、２４  搬送ローラー対、２６  画像読取部、
２６Ａ、２６Ｂ  画像読取センサー、２８  排出ローラー対、３０  排出口、
３２  カバー部、３２ａ  媒体載置部、３４  筐体、３４ａ  媒体読取面、３６  操作部、３８  第１部材、３９、４２ａ  回動軸、４０  第２部材、４１  媒体押さえ部材、
４２  スロープ部材、４４、６６ｂ  係合部、４６  ローラー部材、４８  支持部、
５０  庇状部、５２  手掛け部、５４  中継部、５６、９０  信号線ケーブル、
５８  設置面、６０、６２  フット部、６４  隙間、６６  被結合部材、
６６ａ  軸受入部、６８、８４  結合部材、６８ａ  突出部、７０  位置規制部、
７２  開口、７４  結合部材取付部、７６、８６  締結部材、７８  信号線端子部、
８０  掛止部、８２  被掛止部、８８  電力線ケーブル、９２  電力供給端子、
９４  信号線端子、Ｇ１、Ｇ２、Ｇ３  重心位置、Ｐ  媒体
【図１】
0006614433.tif 000002
【図２】
0006614433.tif 000003
【図３】
0006614433.tif 000004
【図４】
0006614433.tif 000005
【図５】
0006614433.tif 000006
【図６】
0006614433.tif 000007
【図７】
0006614433.tif 000008
【図８】
0006614433.tif 000009
【図９】
0006614433.tif 000010
【図１０】
0006614433.tif 000011
【図１１】
0006614433.tif 000012
【図１２】
0006614433.tif 000013
【図１３】
0006614433.tif 000014
【図１４】
0006614433.tif 000015
【図１５】
0006614433.tif 000016
【図１６】
0006614433.tif 000017
【図１７】
0006614433.tif 000018
【図１８】
0006614433.tif 000019
【図１９】
0006614433.tif 000020
【図２０】
0006614433.tif 000021